(57)【要約】【課題】  清掃の継続に伴う清掃能力の低下を防止でき、かつ、微細な埃の床面への再付着を防止でき、しかも、人体や被清掃物へのアタックを防止しつつ比較的高い除菌効果を奏することができる電気掃除機の吸込口体を提供すること。【解決手段】  吸込口体１は、吸込口本体１２の下面の前縁近傍に形成された吸込口１３と、この吸込口１３よりも後方に形成された保持部材２の収容部１１を備える。保持部材２の表裏両面に設けられた担持体収容部に、銀イオンを担持した担持体２２が収容されている。保持部材２の外周面に、保水機能を有する不織布２１が巻き回されている。電気掃除機本体に接続された吸込口体１で掃除を行うと、吸込口１３が被清掃面の埃を吸い込んだ後、この埃が殆ど無い被清掃面に、保持部材２表面の不織布２１が接して銀イオン含有水を塗布する。【選択図】図１
2006247099.tif 000002
【特許請求の範囲】
【請求項１】
吸込口を有する吸込口本体と、
銀イオンを担持する担持体と、
水分を保持する保水体と、
上記吸込口本体の上記吸込口よりも後方に位置すると共に、上記担持体と保水体とを平面状に互いに重ねた状態で収容する収容部と
を備えることを特徴とする電気掃除機の吸込口体。
【請求項２】
請求項１に記載の電気掃除機の吸込口体において、
上記担持体と保水体とを保持して上記収容部に取り付けられる保持部材を備えることを特徴とする電気掃除機の吸込口体。
【請求項３】
請求項１に記載の電気掃除機の吸込口体において、
上記保持部材は、ヒンジで互いに揺動自在に連結された２つの板状体を有することを特徴とする電気掃除機の吸込口体。
【請求項４】
請求項３に記載の電気掃除機の吸込口体において、
上記保持部材は、互いに対向する側面に、互いに逆向きに突出する凸部を有し、
上記吸込口本体の収容部は、上記吸込口が設けられた面に開口して上記保持部材を収容する室であり、この室を画定する側壁に長孔が形成されており、
上記保持部材の凸部が上記収容部の長孔内に摺動可能に係合していることを特徴とする電気掃除機の吸込口体。
【請求項５】
請求項１乃至４のいずれか１つに記載の電気掃除機の吸込口体を備えた電気掃除機。
【発明の詳細な説明】
【技術分野】
【０００１】
本発明は、電気掃除機の吸込口体に関し、特に、清掃・抗菌能力の低下を防止できる電気掃除機の吸込口体に関する。
【背景技術】
【０００２】
従来、例えばフローリング等の床面を清掃するための清掃具としては、水性洗浄剤が含浸された湿式のシートと、このシートに連結された棒状の把手とを備えたものがある（例えば特開２００１−２６９３００号公報；特許文献１参照）。上記シートの床面に接触する外層に、髪の毛や綿埃と絡む不織布を配置すると共に、上記シートの内層に、保水性を有する繊維を配置して、この内層に水性洗浄剤を保持するようにしている。この水性洗浄剤は、界面活性剤、アルコール、及び、過酸化水素等の除菌剤を含んでいる。上記把手の把持部を操作者が把持し、シートの外層を床面に接触させた状態で床面上を移動させることにより、上記外層で床面の髪の毛や綿埃等の埃を捕集すると共に、上記内層に保持された洗浄剤を床面に塗布するようにしている。
【０００３】
しかしながら、上記清掃具は、清掃を行うに伴ってシートの外層に埃が蓄積されるので、この外層による埃の捕集量には限界がある。したがって、上記清掃具による清掃を継続すると、上記限界量を超えた埃を捕集できなくなって、清掃能力が低下するという問題がある。また、上記外層に微細な塵が蓄積されるので、上記内層からの洗浄剤が微細な塵と共に床面に付着して、洗浄剤による洗浄・抗菌効果が妨げられ、また、床面を汚してしまうという問題がある。
【０００４】
また、上記水性洗浄剤に含まれる除菌剤は過酸化水素等を用いるので、人体や建材に対してアタックが生じるという問題がある。このようなアタックの問題を防止するために除菌剤の濃度を低下させると、除菌効果が不十分になるという問題がある。
【特許文献１】特開２００１−２６９３００号公報
【発明の開示】
【発明が解決しようとする課題】
【０００５】
そこで、本発明の課題は、清掃の継続に伴う清掃能力の低下を防止でき、かつ、微細な埃の床面への再付着を防止でき、しかも、人体や被清掃物へのアタックを防止しつつ比較的高い除菌効果を奏することができる電気掃除機の吸込口体を提供することにある。
【課題を解決するための手段】
【０００６】
上記課題を解決するため、本発明の電気掃除機の吸込口体は、吸込口を有する吸込口本体と、
銀イオンを担持する担持体と、
水分を保持する保水体と、
上記吸込口本体の上記吸込口よりも後方に位置すると共に、上記担持体と保水体とを平面状に互いに重ねた状態で収容する収容部と
を備えることを特徴としている。
【０００７】
上記構成によれば、上記吸込口本体の収容部において、上記担持体に担持された銀イオンが上記保水体の水に溶けて、銀イオンを含有する水が生成される。上記吸込口本体の吸込口から被清掃面の埃が吸い込まれ、この埃が吸い込まれた後の被清掃面上に、上記収容部に収容された担持体及び保水体が位置する。この担持体及び保水体から、上記銀イオンを含有する水が被清掃面に供給されて塗布される。このように、吸込口から埃が吸い込まれた後の被清掃面に、上記銀イオンを含有する水を塗布するので、従来のように清掃の継続に伴って清掃能力が低下する問題や、抗菌効果が妨げられる問題や、微細な埃で被清掃面を汚す問題を防止できる。また、上記銀イオンによって抗菌を行うので、過酸化水素等を用いて抗菌を行う従来のような人体や建材へのアタックを防止することができる。
【０００８】
なお、上記保水体が保持する水分とは、水のみに限られず、銀イオンが溶出できるものであれば、アルコール水溶液等のような他の物質を含む水溶液をも包含する。
【０００９】
なお、上記収容部が上記吸込口本体の吸込口よりも後方に位置するとは、吸込口本体による清掃動作において、上記収容部よりも先に吸込口が被清掃面に位置するように形成されていることをいう。
【００１０】
一実施形態の電気掃除機の吸込口体は、上記担持体と保水体とを保持して上記収容部に取り付けられる保持部材を備える。
【００１１】
上記実施形態によれば、上記保持部材に担持体と保水体が保持され、この保持部材が上記吸込口本体の収容部に取り付けられるので、この収容部から保持部材を離脱することにより、上記担持体及び保持体を容易に交換することができる。
【００１２】
一実施形態の電気掃除機の吸込口体は、上記保持部材は、ヒンジで互いに揺動自在に連結された２つの板状体を有する。
【００１３】
上記実施形態によれば、上記２つの板状体の外周面を保水体で覆うと共に、この保水体の端部を上記２つの板状体で挟むことにより、上記保持部材は、容易に保水体を保持することができる。この場合、上記板状体の外側面と保水体の内側面との間に、上記担持体を配置すればよい。
【００１４】
なお、上記２つの板状体の外側面に、上記担持体を収容する担持体収容部を各々設けるのが好ましい。これにより、簡易な構造で担持体と保水体を平面状に重ねることができる。
【００１５】
なお、上記担持体収容部は、上記板状体の外側面に設けられた透水性の布等で形成したポケット形状を有するのが好ましい。この場合、上記布と板状体の外側面との間に、上記担持体を簡単に収容し、かつ、上記保水体からの水に容易に銀イオンを溶出させることができる。
【００１６】
また、保持部材を１枚の板状体で形成し、この１枚の板状体の表裏両面に担持体収容部を設けてもよい。
【００１７】
一実施形態の電気掃除機の吸込口体は、上記保持部材は、互いに対向する側面に、互いに逆向きに突出する凸部を有し、
上記吸込口本体の収容部は、上記吸込口が設けられた面に開口して上記保持部材を収容する室であり、この室を画定する側壁に長孔が形成されており、
上記保持部材の凸部が上記収容部の長孔内に摺動可能に係合している。
【００１８】
上記実施形態によれば、この吸込口体を用いて被清掃面の清掃を行った後、上記保持部材の凸部を長孔内の一端側から他端側に摺動させることにより、上記保持部材が露出する面を反転する。これにより、未だ清掃を行っていなくて清浄な担持体および保水体を、上記吸込口本体の外側面に露出することができる。したがって、例えば清掃作業中においても、使用後の担持体及び保水体を、新たな担持体及び保水体に迅速に変更することができる。
【００１９】
本発明の電気掃除機は、上記電気掃除機の吸込口体を備える。
【００２０】
上記構成によれば、長期に亘って効果的に埃の除去と除菌を行うことができる。
【発明の効果】
【００２１】
以上のように、本発明の電気掃除機の吸込口体は、吸込口本体の上記吸込口よりも後方に位置する収容部に、銀イオンを担持する担持体と水分を保持する保水体とを平面状に互いに重ねた状態で収容するので、上記吸込口で埃を吸引した後に銀イオン含有の水分を被清掃面に塗布することができるから、従来のような清掃能力の低下の問題や、銀イオンの抗菌効果が妨げられる問題や、微細な埃で被清掃面を汚す問題を、効果的に防止することができる。
【発明を実施するための最良の形態】
【００２２】
以下、本発明を図示の実施の形態により詳細に説明する。
【００２３】
図１は、本発明の実施形態としての電気掃除機の吸込口体を示す断面図である。
【００２４】
この電気掃除機の吸込口体１は、平面視において略Ｔ字形状を有する吸込口本体１２と、この吸込口本体１２の下面の前縁近傍に設けられた吸込口１３と、上記吸込口本体１２の下面かつ吸込口１３よりも後方に位置する収容部１１に収容された保持部材２を備える。
【００２５】
上記吸込口体１の後方には、延長管に連結される連結部１５が設けられており、この連結部１５は、上記吸込口本体１２の内部と連通している。上記連結部１５に連結された延長管及びホースを介して、上記吸込口１３から吸入された埃を電気掃除機本体に送るようになっている。
【００２６】
図２は、上記保持部材２を示す斜視図である。この保持部材２は、扁平な直方体形状を有し、３辺に縁を有する第１の板状体２５と、３辺に縁を有して上記第１板状体２５の内側に嵌合する第２の板状体２６とで大略構成されている。上記第１及び第２の板状体２５，２６は、凸軸２９によって互いに揺動自在に連結されている。上記凸軸２９は、上記保持部材２の短手方向に延びる両側面の端部であって、上記保持部材２の長手方向に延びる側面の近傍から、この保持部材２の長手方向に向かって互いに逆向きに突出している。上記保持部材２の長手方向に延びる側面であって、上記凸軸２９が近傍に設けられた側面と対向する側面において、上記第１の板状体２５に設けられた係合溝２７と、上記第２の板状体２６に設けられた係合爪２８とが係合している。
【００２７】
上記第１の板状体２５の表面と、第２の板状体２６の表面には、ネットで形成されて透水性を有する担持体収容部２３が設けられている。この担持体収容部２３は、上記第１及び第２の板状体２５，２６の表面の略全てを覆う大きさを有し、上記第１及び第２の板状体２５，２６の２つの短辺及び凸軸２９近傍の長辺が閉じている一方、上記係合溝２７又は係合爪２８が設けられた側の長辺近傍が開口するポケット形状を有する。
【００２８】
図３は、上記担持体収容部２３内に収容される担持体２２を示す斜視図である。この担持体２２は、２枚の不織布が張り合わされて形成された袋体中に、銀イオンを含有するガラスの粉状体を封入して形成されている。上記袋体は、上記２枚の不織布を格子状に接着して内部が６個の室に分割されている。この６個の部屋にガラスの粉状体を封入することによって、この袋体の表面の全体から略均一に銀イオンが溶出するようにしている。
【００２９】
図４は、吸込口本体１２を裏返して示した斜視図である。図４において、吸込口本体１２の下面（図４では上側を向いている）の吸込口１３に隣接して、連結部１５側に、保持部材２を収容する収容部１１が形成されている。この収容部１１は、吸込口本体１２の下面において、吸込口１３以外の部分の略全てを占めるように形成されている。収容部１１は、吸込口１３との間を隔てる前側壁と、吸込口本体１２の背面に連なる後側壁と、吸込口本体１２の側面に連なる側壁とで区画されている。連結部１５から見て左右両側の上記側壁には、吸込口本体１２の前後方向に延びる長孔１８が夫々設けられている。上記前側壁と後側壁には、保持部材２の係合爪２８が係合する係合溝１９が夫々設けられている。上記吸込口本体１２の下面の前縁近傍には、上記吸込口１３の両側に、植毛部２０，２０が設けられている。
【００３０】
上記構成の電気掃除機の吸込口体１を用いて、被清掃面としてのフローリング床を清掃する場合について説明する。
【００３１】
まず、保持部材２の第１及び第２板状体２５，２６の担持体収容部２３に、担持体２２を挿入する。そして、図５の断面図に示すように、第１板状体２５と第２板状体２６の外側面に、保水体としての不織布２１を巻き回すと共に、この不織布２１の端部を上記第１板状体２５と第２板状体２６の間に配置する。そして、上記第１板状体２５と第２板状体２６とを凸軸２９回りに揺動し、上記不織布２１の端部を挟んだ状態で、上記第１板状体２５の係合溝２７に第２板状体２６の係合爪２８を係合させる。これにより、上記第１及び第２板状体２５，２６で構成される保持部材２の表裏両面に、担持体２２と不織布２１とが互いに重なり合って配置される。
【００３２】
上記不織布２１と担持体２２が配置された保持部材２を、吸込口本体１２の収容部１１内に挿入する。このとき、上記保持部材２の長手方向を収容部１１の長手方向に対して傾斜させることにより、保持部材２の側面の両側から突出した２つの凸軸２９を、収容部１１の側壁に形成された２つの長孔１８に夫々係合させる。また、保持部材２の係合爪２８を、上記収容部１１の前側壁又は後側壁の係合溝１９に係合させる。これにより、保持部材２の表裏面のうちの一方が収容部１１の底側を向く一方、上記保持部材２の表裏面のうちの他方が吸込口本体１２の外側を向いた状態で、この保持部材２が吸込口本体１２に取り付けられる。その結果、上記保持部材２の最外面に位置する不織布２１が、上記吸込口本体１２の下面かつ吸込口１３の後方に露出する。
【００３３】
次に、上記吸込口本体１２の下面に露出した不織布２１に、水を供給して保持させる。これにより、上記不織布２１に保持された水に、この不織布２１の内側に位置する担持体２２から銀イオンが溶出する。なお、上記不織布２１には、水以外のアルコール水溶液等を供給してもよい。要は、上記担持体２２から銀イオンが溶出できる液体であればよい。
【００３４】
図６は、上記吸込口体１を電気掃除機本体３３に接続した様子を示す図である。この電気掃除機は、延長管３１の把手３５を操作者が把持して、この延長管３１に連なるホース３２で電気掃除機本体３３を牽引するキャニスタ型の電気掃除機である。上記吸込口体１の連結部１５に延長管３１を接続し、この延長管３１に連なるホース３２を電気掃除機本体３３に接続する。そして、上記電気掃除機本体３３の電源をオンにして、掃除を開始する。電源のオンに伴い、電気掃除機本体３３内の電動送風機が動作を開始し、この電動送風機に至る空気経路に吸い込み空気が流れる。すなわち、吸込口体１の吸込口１３から空気を吸入し、この空気が、吸込口本体１２、連結管１５、延長管３１及びホース３２を介して、電気掃除機本体３３に導かれる。この吸込口体１の下面が、図１に示すようにフローリング床Ｆに接した状態で、上記延長管３１に設けられた把手３５を操作者が把持して、この把手３５及び延長管３１を介して吸込口体１を移動させる。この吸込口体１が移動するとき、まず、吸込口本体１２の下面の前縁近傍に位置する吸込口１３から、フローリング床Ｆの埃が吸い込まれる。そして、この吸込口体１が移動することにより、フローリング床Ｆの埃が略無くなった部分に、吸込口本体１２の下面に露出した不織布２１が接する。この不織布２１が保持して担持体２２から溶出した銀イオンを含有する水が、上記フローリング床Ｆに塗布される。このように、上記吸込口体１２によって、埃が殆ど無くなったフローリング床Ｆに、不織布２１で銀イオン含有の水を塗布するので、上記不織布２１には埃が蓄積し難い。したがって、従来のように清掃を行うにつれて清掃能力が低下することが無く、また、蓄積した微細な埃がフローリング床Ｆを汚染することを効果的に防止できる。また、上記不織布２１によってフローリング床Ｆに塗布する水は銀イオンを含有し、従来のような過酸化水素等を用いないので、従来のように床等の建材や人体がアタックを受けることを防止できる。
【００３５】
図７Ａ乃至７Ｄは、上記吸込口体１の保持部材２を反転させる様子を示す図である。図７Ａに示すように、吸込口体１下面の不織布２１をフローリング床Ｆに接した状態で清掃を継続すると、吸込口１３から吸引されないで残った埃が上記不織布２１の表面に徐々に蓄積する。この埃の蓄積量は従来よりも大幅に少ないものの、長時間に亘る清掃の後、不織布２１の交換を行う必要が生じる。この場合、吸込口体１をフローリング床Ｆから離し、図７Ｂに示すように、保持部材２の係合爪２８と、吸込口本体１２の収容部１１の係合溝１９との係合を解除して、上記保持部材２を凸軸２９回りに下方に揺動させる。このとき、上記凸軸２９は、吸込口本体１２の収容部１１の長孔１８の図７Ｂにおける右側端部に位置している。続いて、上記凸軸２９を、上記長孔１８内を摺動させて、図７Ｃに示すように、上記長孔１８の左側端部に移動させる。その後、図７Ｄに示すように、保持部材２を吸込口本体１２側に揺動させ、上記保持部材２の係合爪２８を収容部１１の係合溝１９に係合させる。これにより、図７Ａにおいて露出していた不織布２１の部分を収容部１１の底側に配置する一方、図７Ａにおいて収容部１１の底側に位置していた不織布２１の部分を吸込口本体１２の下面に露出させる。こうして、清浄な不織布２１により、フローリング床Ｆへの銀イオン含有水の塗布を再開することができる。このように、保持部材２の表裏両面に不織布２１及び担持体２２を重ねて配置し、この保持部材２の短手方向の一端に設けた凸軸２９を吸込口本体１２の長孔１８に係合させることにより、不織布２１及び担持体２２を迅速に交換することができる。
【００３６】
上記実施形態において、上記担持体２２は、銀イオンを含有したものであれば、ガラスの粉状体以外のものを封入してもよい。また、上記担持体２２は、不織布に粉状体を封入したものに限られず、例えば、銀イオン含有の金属板や、銀イオン含有の樹脂板等であってもよい。
【００３７】
また、上記保持部材２の第１及び第２板状体２５，２６の間に、未使用の担持体２２を収容して保管してもよい。
【００３８】
また、上記吸込口体１が接続される電気掃除機は、キャニスタ型であったが、延長管が電気掃除機本体に直接接続されて、電気掃除機本体側に設けられた把手を把持して操作するアップライト型であってもよい。
【図面の簡単な説明】
【００３９】
【図１】本発明の実施形態としての電気掃除機の吸込口体を示す断面図である。
【図２】保持部材を示す斜視図である。
【図３】担持体を示す斜視図である。
【図４】吸込口本体を裏返して示した斜視図である。
【図５】保持部材に不織布を巻き回した様子を示す断面図である。
【図６】吸込口体を電気掃除機本体に接続した様子を示す図である。
【図７Ａ】保持部材が吸込口本体に収容された様子を示す図である。
【図７Ｂ】保持部材を吸込口本体の下方に凸軸回りに揺動させた様子を示す図である。
【図７Ｃ】吸込口本体の長孔に沿って凸軸を摺動させて、保持部材を移動させた様子を示す図である。
【図７Ｄ】保持部材を、吸込口本体側に揺動させて、吸込口本体内に収容した様子を示す図である。
【符号の説明】
【００４０】
１  吸込口体
２  保持部材
１１  収容部
１２  吸込口本体
１３  吸込口
１５  連結部
２１  不織布
２２  担持体
【図１】
2006247099.tif 000003
【図２】
2006247099.tif 000004
【図３】
2006247099.tif 000005
【図４】
2006247099.tif 000006
【図５】
2006247099.tif 000007
【図６】
2006247099.tif 000008
【図７Ａ】
2006247099.tif 000009
【図７Ｂ】
2006247099.tif 000010
【図７Ｃ】
2006247099.tif 000011
【図７Ｄ】
2006247099.tif 000012